(57)【要約】      （修正有）【課題】使用時には、使用現場で容易に組み立てて、複数の商品を載置した形態で展示することが可能であると共に、保管時や運搬時にはコンパクトな扁平状に折り畳むことが可能であり、さらに、展示した状態の商品がみだりに移動しないように配置可能なディスプレイ用具を提供する。【解決手段】底板１２とこの底板１２に対して折り曲げ自在に連結された傾斜板１１とから基板を構成して、傾斜板１１に商品収容部１３と掛止溝１８を形成し、背板を掛止溝１８に挿入する上部背板２２と該上部背板２２より幅広な部分を形成した基部背板２１とから形成した。ディスプレイ用具は、背板の上部背板を傾斜板の掛止溝に挿入して組み立てる。【選択図】図１
0003166853.tif 000002
【実用新案登録請求の範囲】
【請求項１】
基板と該基板に連結された背板とから構成されるディスプレイ用具であって、前記基板は、底板と該底板に対して折り曲げ自在に連接された傾斜板とから構成され、該傾斜板は商品収容部と掛止溝を備えており、前記背板は、前記掛止溝に挿入される上部背板と該上部背板より幅広な部分で前記傾斜板を掛止する基部背板を備えることを特徴とするディスプレイ用具。
【請求項２】
前記商品収容部は、前記傾斜板を枠形状に切り抜いた長方形状の開口部から形成されており、前記開口部は、短手側の対向する二辺が略平行な直線状に形成され、長手側の対向する二辺が線対称の蛇行曲線状に形成されており、前記傾斜板に前記背板を掛止するための傾斜板掛止突部を有することを特徴とする請求項１に記載のディスプレイ用具。
【請求項３】
前記長手側の対向する二辺は、前記傾斜板の長手方向に延在する左右の側片から形成されており、前記左右の側片の対向する部位に、商品保持部が形成されていることを特徴とする請求項２に記載のディスプレイ用具。
【請求項４】
前記短手側の対向する二辺は、前記傾斜板の短手方向に延在する基片と先端片から形成されており、前記掛止溝は、前記先端片と前記左右の側片との連接部に設けられていることを特徴とする請求項３に記載のディスプレイ用具。
【請求項５】
前記背板の上下方向の中間部に前記傾斜板を掛止するための背板掛止突部を有することを特徴とする請求項１から４のいずれかに記載のディスプレイ用具。
【請求項６】
前記背板掛止突部を前記掛止溝に掛止させた状態で、前記背板は垂直方向に保持され、また、前記傾斜板は所定の傾斜角度で保持されることを特徴とする請求項１から５のいずれかに記載のディスプレイ用具。
【請求項７】
前記底板と前記背板との連結部に、前記底板と段差を形成するように棚板を備えることを特徴とする請求項１から６のいずれかに記載のディスプレイ用具。
【請求項８】
前記基板と前記背板は別々のブランク材から構成されることを特徴とする請求項１から７のいずれかに記載のディスプレイ用具。
【請求項９】
前記基板と前記背板は１枚のブランク材から構成されることを特徴とする請求項１から７のいずれかに記載のディスプレイ用具。
【考案の詳細な説明】
【技術分野】
【０００１】
本考案は、各種商品を直立させた状態で収納して販売することができるディスプレイ用具に関し、特に、保管時や運搬時には、コンパクトな扁平状に折り畳むことができ、また、使用時には、所定形状に組み立てて店頭の棚などに平置きした形態で使用できるようにしたディスプレイ用具に関する。
【背景技術】
【０００２】
従来から、各種の商品を直立させた状態で収容して店頭などに設置できるディスプレイ用具として、非使用時には扁平状に折り畳むことができると共に、使用時には、適宜組み立てて、店頭の棚などの上に平置きした形態で使用できるディスプレイ用具が開発され、実用化されている。
【０００３】
この種のディスプレイ用具として、特許文献１には、一枚の平板を、折り目を介して前板部と背底部に区画して折り曲げ自在とし、前板部の中央部分に切れ目と折り目を設けて壁片を形成し、また、背底部に、衝立片と補強片を折り曲げ自在に連設し、衝立片に設けた係合片を壁片に設けた係合孔に嵌合して、前板部を傾斜させた形態に組立自在とした陳列台が開示されている。そして、特許文献１の陳列台は、壁片を折り曲げて形成した前板部の空間部に、複数の商品を直立させた状態で挿入して展示するようにしている。
【先行技術文献】
【特許文献】
【０００４】
【特許文献１】実公昭４６−３７３１９号公報
【考案の概要】
【考案が解決しようとする課題】
【０００５】
特許文献１の陳列台は、一枚の平板から前板部と背底部とを折り曲げ自在に構成して、衝立片に設けた係合片を壁片に設けた係合孔に嵌合して、前板部を傾斜させた形態に組み立てて、前板部の空間部に複数の商品を直立させて挿入して、展示できるように構成されているが、前板部と背底部を連結する衝立片や補強片を必要とするため、展開、組立が煩雑になってしまう。また、前板部の空間部に複数の商品を直立させて挿入するように構成されているが、展示状態の各商品は、前後方向に拘束されていないので、前後方向に自由に移動して、商品配置が乱れてしまうおそれがある。
【０００６】
本考案は、上述したような従来の事情に鑑みてなされたものであり、使用時には、使用現場で容易に組み立てて、複数の商品を載置した形態で展示することが可能であると共に、保管時や運搬時にはコンパクトな扁平状に折り畳むことが可能であり、さらに、展示した状態の商品がみだりに移動しないように配置可能なディスプレイ用具を提供することを目的とする。
【課題を解決するための手段】
【０００７】
上記課題を達成するために、請求項１に記載のディスプレイ用具に係る考案は、基板と該基板に連結された背板とから構成されるディスプレイ用具であって、前記基板は、底板と該底板に対して折り曲げ自在に連接された傾斜板とから構成され、該傾斜板は商品収容部と掛止溝を備えており、前記背板は、前記掛止溝に挿入される上部背板と該上部背板より幅広な部分で前記傾斜板を掛止する基部背板を備えることを特徴とする。
【０００８】
また、上記課題を達成するために、請求項２に記載のディスプレイ用具に係る考案は、請求項１に記載の考案において、前記商品収容部は、前記傾斜板を枠形状に切り抜いた長方形状の開口部から形成されており、前記開口部は、短手側の対向する二辺が略平行な直線状に形成され、長手側の対向する二辺が線対称の蛇行曲線状に形成されており、前記傾斜板に前記背板を掛止するための傾斜板掛止突部を有することを特徴とする。
【０００９】
さらに、上記課題を達成するために、請求項３に記載のディスプレイ用具に係る考案は、請求項２に記載の考案において、前記長手側の対向する二辺は、前記傾斜板の長手方向に延在する左右の側片から形成されており、前記左右の側片の対向する部位に、商品保持部が形成されていることを特徴とする。
【００１０】
さらにまた、上記課題を達成するために、請求項４に記載のディスプレイ用具に係る考案は、請求項３に記載の考案において、前記短手側の対向する二辺は、前記傾斜板の短手方向に延在する基片と先端片から形成されており、前記掛止溝は、前記先端片と前記左右の側片との連接部に設けられていることを特徴とする。
【００１１】
さらにまた、上記課題を解決するために、請求項５に記載のディスプレイ用具に係る考案は、請求項１から４のいずれかに記載の考案において、前記背板の上下方向の中間部に前記傾斜板を掛止するための背板掛止突部を有することを特徴とする。
【００１２】
さらにまた、上記課題を達成するために、請求項６に記載のディスプレイ用具に係る考案は、請求項１から５のいずれかに記載の考案において、前記背板掛止突部を前記掛止溝に掛止させた状態で、前記背板は垂直方向に保持され、また、前記傾斜板は所定の傾斜角度で保持されることを特徴とする。
【００１３】
さらにまた、上記課題を達成するために、請求項７に記載のディスプレイ用具に係る考案は、請求項１から６のいずれかに記載の考案において、前記底板と前記背板との連結部に、前記底板と段差を形成するように棚板を備えることを特徴とする。
【００１４】
さらにまた、上記課題を達成するために、請求項８に記載のディスプレイ用具に係る考案は、請求項１から７のいずれかに記載の考案において、前記基板と前記背板は別々のブランク材から構成されることを特徴とする。
【００１５】
さらにまた、上記課題を達成するために、請求項９に記載のディスプレイ用具に係る考案は、請求項１から７のいずれかに記載の考案において、前記基板と前記背板は１枚のブランク材から構成されることを特徴とする。
【考案の効果】
【００１６】
請求項１に記載のディスプレイ用具に係る考案によれば、基板を、底板とこの底板に対して折り曲げ自在に連接された傾斜板とから構成して、商品収容部と掛止溝を傾斜板に形成し、また、掛止溝に挿入される上部背板と該上部背板より幅広な部分で前記傾斜板を掛止する基部背板とから背板に形成したので、使用現場でディスプレイ用具を組み立てる際に、背板の上部背板を傾斜板の掛止溝に掛止するだけで、簡単に組み立てることができる。また、ディスプレイ用具を運搬する場合や保管する場合には、背板の上部背板を傾斜板の掛止溝から取り外すだけで、扁平状に折り畳むことができる。
また、組み立てた状態のディスプレイ用具は、傾斜板が筋交いの役目を果たすので、別途補強材を必要とすることなく、組立状態のディスプレイ用具を簡単に補強することができる。
【００１７】
請求項２に記載のディスプレイ用具に係る考案によれば、請求項１の考案の効果に加えて、商品収容部は、傾斜板を枠形状に切り抜いた長方形状の開口部から形成されており、この開口部は、短手側の対向する二辺が略平行な直線状に形成され、長手側の対向する二辺が線対称の蛇行曲線状に形成されているので、特に、蛇行曲線状に形成された対向する二辺を利用して商品収容部を簡単に形成することができる。また、傾斜板は、背板を掛止するための傾斜板掛止突部を有するため、ディスプレイ用具を組み立てた際に、背板の上部背板を傾斜板掛止突部に掛止するだけで、簡単に組み立てることができる。
【００１８】
請求項３に記載のディスプレイ用具に係る考案によれば、請求項２の考案の効果に加えて、長手側の対向する二辺は、傾斜板の長手方向に延在する左右の側片から形成されており、左右の側片の対向する部位に商品保持部を形成したので、長手方向に延在する左右の側片に形成した商品保持部を利用して、特に、パウチ製品の商品を前後方向に整列させて展示することができる。
【００１９】
請求項４に記載のディスプレイ用具に係る考案によれば、請求項３の考案の効果に加えて、傾斜板の短手方向に延在する基片と先端片から短手側の対向する二辺を形成すると共に、先端片と左右の側片との連接部に掛止溝を設けたので、傾斜板の開口部の形状を利用して、掛止溝を簡単に形成することができる。
【００２０】
請求項５に記載のディスプレイ用具に係る考案によれば、請求項１から４のいずれかの考案の効果に加えて、背板の上下方向の中間部に傾斜板を掛止するための背板掛止突部を有するので、背板の背板掛止突部を傾斜板の掛止溝に掛止させて、ディスプレイ用具を簡単に組み立てることができる。
【００２１】
請求項６に記載のディスプレイ用具に係る考案によれば、請求項１から５のいずれかの考案の効果に加えて、背板掛止突部を掛止溝に掛止させるだけで、背板を垂直方向に保持すると共に傾斜板を所定の傾斜角度に保持するようにディスプレイ用具を組み立てることができる。
【００２２】
請求項７に記載のディスプレイ用具に係る考案によれば、請求項１から６のいずれかの考案の効果に加えて、底板と背板との連結部に底板と段差を形成するように棚板を備えるので、前後方向に配置される商品を見栄えよく展示することができる。
【００２３】
請求項８に記載のディスプレイ用具に係る考案によれば、請求項１から７のいずれかの考案の効果に加えて、基板と背板を別々のブランク材から構成したので、ディスプレイ用具を構成する本体部を簡単に形成することができる。
【００２４】
請求項９に記載のディスプレイ用具に係る考案によれば、請求項１から７のいずれかの考案の効果に加えて、基板と背板を１枚のブランク材から構成したので、ディスプレイ用具を構成する本体部をより簡単に形成することができる。
【図面の簡単な説明】
【００２５】
【図１】本考案の実施の形態に係るディスプレイ用具の使用形態の斜視図である。
【図２】図１に示すディスプレイ用具の基板の展開平面図である。
【図３】図１に示すディスプレイ用具の背板の展開平面図である。
【図４】図１に示すディスプレイ用具の棚板の展開平面図である。
【図５】図１に示すディスプレイ用具の組立過程を示す斜視図である。
【図６】図１に示すディスプレイ用具の折畳み状態を示す平面図である。
【図７】図１に示すディスプレイ用具に商品（パウチ製品）を収容した展示形態の斜視図である。
【図８】図１に示すディスプレイ用具に商品（パウチ製品と缶製品）を収容した展示形態の斜視図である。
【考案を実施するための形態】
【００２６】
本考案の実施の形態に係るディスプレイ用具を図１〜図８に基づいて説明する。
本考案の実施の形態に係るディスプレイ用具は、図１に示すように組み立てた状態で店頭の棚の上などに載置して使用できるようにしたものである。具体的には、図７に示すように、複数の商品（パウチ製品）４０を底板１２および棚板３０の上面板３１の上面に直立させた状態で展示することができ、また、図８に示すように、背の高い商品（パウチ製品）４０を棚板３０の上面板３１の上面に、背の低い商品（缶製品）４１を底板１２の上面に、それぞれ直立させた状態で展示することができるようにしたものである。
また、本考案の実施の形態に係るディスプレイ用具は、保管時や運搬時には、背板２０の背板掛止凹部２７と傾斜板１１の傾斜板掛止突部１９との係合を開口部１３の向きに解除して、背板２０の背板掛止凹部２７を開口部１３の側縁に沿ってスライドさせると、図６に示すように、背板２０を傾斜板１１の上面に重ねて、コンパクトな扁平状に折り畳むことができる。
なお、保管時や運搬時のスペースを考慮した場合、傾斜板１１の掛止溝１８から背板２０の上部背板２２を引き抜いて、傾斜板１１、底板１２及び背板２０を扁平にした状態にすることもできる。
そして、本考案の実施の形態に係るディスプレイ用具は、背板２０、傾斜板１１の基片１４と側片１６、棚板３０の上面板３１と正面板３２に、例えば、商品名、商品の効能、価格などの情報を表示して、商品の宣伝効果をさらに高めることができる。
また、本考案の実施の形態に係るディスプレイ用具は、基本的には、基板１０と背板２０を別々のブランク材から構成しているが、基板１０と背板２０を１枚のブランク材から一体に構成することもできる。
そして、基板１０と背板２０を１枚のブランク材から一体に構成する場合には、底板１２の自由端部と背板２０の基部背板２１の下端部とを、基部背板２１の下端部に一体に連接した背板貼付片２３を介して連接するように、１枚のブランク材から一体に構成することになる。この場合、背板貼付片２３と底板１２との間の連接部に折曲線が形成される。
【００２７】
以下、本考案の実施の形態に係るディスプレイ用具を詳細に説明する。
図２に示すように、ディスプレイ用具の基板１０は、厚紙などのブランク材から構成されており、傾斜板１１と、この傾斜板１１に傾斜板折曲線２６を介して連接した底板１２とから構成されている。ここで、傾斜板１１と底板１２は、左右方向の幅（図２における左右方向）が同一の幅寸法に形成されている。
傾斜板１１は、長方形状の開口部１３を形成するように切り抜かれて、この開口部１３が、後述する商品収容部として機能する。そして、傾斜板１１に開口部１３を形成することにより、傾斜板１１の外周部が枠形状に残される。この傾斜板１１の枠形状に残された部位は、基片１４、先端片１５及び左右の側片１６，１６を構成する。そして、基片１４は、底板１２と傾斜板折曲線２６を介して連接した部位に形成され、基片１４の左右に、それぞれ左右の側片１６，１６の各一端が連接され、さらに、左右の側片１６，１６の各他端が、先端片１５の左右にそれぞれ連接される。
また、底板１２は、この底板１２の一端部が傾斜板折曲線２６を介して傾斜板１１に連接されており、図１に示すように、底板１２の他端部（自由端部）に、後述する背板２０の背板貼付片２３が貼り付けられて、基板１０と背板２０が一体に連結して構成される。
【００２８】
図２に示すように、傾斜板１１の開口部１３は、短手側の対向する二辺、すなわち、基片１４及び先端片１５の開口部１３側は、略平行な直線状に形成されている。さらに、先端片１５と左右の側片１６，１６との連接部に、それぞれ掛止溝１８，１８が凹設されており、これらの掛止溝１８，１８は、左右方向の幅がｂ’に設定されており、各掛止溝１８，１８には、後述する背板２０の左右の背板掛止突部２５，２５が掛止される。また、各掛止溝１８と左右の側片１６，１６との連接部には、各側片１６，１６から開口部１３側に対向するように突出する一対の傾斜板掛止突部１９，１９が形成されている。そして、図２に示すように、対向する傾斜板掛止突部１９、１９の間の間隔はａ”に設定されている。この傾斜板掛止突部１９、１９の間の間隔ａ”は、後述する線対称の蛇行曲線状に形成した開口部１３の対向する突部となる部分を結んだ線（図２に破線で示す）の間の間隔（傾斜板１１の開口部１３の幅寸法）ａ’よりも小さい間隔に設定されている。このように、掛止溝１８，１８の幅ｂ’、傾斜板掛止突部１９、１９の間の間隔ａ”及び開口部１３の対向する突部となる部分を結んだ線の間の間隔（傾斜板１１の開口部１３の幅寸法）ａ’は、ａ”＜ａ’＜ｂ’の関係に設定されている。
また、傾斜板１１の開口部１３の長手側の対向する二辺、すなわち、左右の側片１６，１６の開口部１３側は線対称の蛇行曲線状に形成されている。このように、左右の側片１６，１６は、各側片１６，１６の対向する部位がそれぞれ線対称の蛇行曲線状に形成されているため、開口部１３に対して凹部となる部位が商品保持部１７として機能する。そして、例えば、図７及び図８に示すように、パウチ製品である商品４０は、その左右が商品保持部１７，１７に保持された状態で底板１２または棚板３０の上面板３１の上面に配置される。この場合、傾斜板１１は筋交いとして機能して、ディスプレイ用具を効果的に補強する役割を果たすため、さらなる補強材は不要である。
【００２９】
図３に示すように、ディスプレイ用具の背板２０は、上述した基板１０と同様に、厚紙などのブランク材から構成されており、基部背板２１、上部背板２２及び背板貼付片２３から構成されている。ここで、基部背板２１の幅寸法（図３における上下方向）は、基板１０の底板１２の幅寸法と同じ寸法に形成されており、図１に示すように、基部背板２１は底板１２の自由端部に位置合わせされて貼り付けられる。基部背板２１は傾斜板１１を掛止することができる幅寸法を有する形態であればよく、前記のように底板１２の幅寸法と同じ寸法に形成する必要はなく、上部背板２２よりも幅広な部分を備えていれば形も幅寸法（図３における上下方向）も一定でなくてもよい。
また、上部背板２２は、図１に示すように、ディスプレイ用具として組み立てる際に、傾斜板１１の掛止溝１８に挿入できる幅寸法、すなわち、左右の掛止溝１８，１８間の幅寸法ｂ’よりも幅狭な寸法ｂに形成されている。上部背板２２は、傾斜板１１の掛止溝１８に挿入できる形態であればよいので、寸法ｂは上部背板２２の幅寸法で一定である必要はなく、上方向に向かって幅狭になる等の種々のデザイン形態を採用することができる。
そして、図３に示すように、基部背板２１と上部背板２２とは、左右両側にそれぞれ段差を形成するように連接されており、基部背板２１と上部背板２２との間の左右の段差部に、背板掛止凹部２７，２７と上部背板２２からそれぞれ左右に突出するように一対の背板掛止突部２５，２５が一体に形成されている。これらの背板掛止突部２５，２５は、上述した傾斜板１１の開口部１３に一体に形成した一対の掛止溝１８，１８にそれぞれ掛止される。また、背板掛止凹部２７,２７の底辺を結ぶ幅寸法aは傾斜板１１の開口部の幅寸法a’より小さく、かつ、傾斜板掛止突部１９，１９の間の間隔ａ”よりも大きい幅寸法に形成されており、背板掛止凹部２７,２７は傾斜板掛止突部１９，１９によりそれぞれ掛止される。この実施の形態では、傾斜板１１が上部背板２２の上方向へ抜けるのを防ぐために上部背板２２からそれぞれ左右に突出するように一対の背板掛止突部２５，２５を形成しているが、これらの背板掛止突部２５，２５は形成しなくてもよい。
また、この実施の形態では、幅の異なる上部背板２１と基部背板２２とを連接して、上部背板２１と基部背板２２との連接部に段差を形成しているが、この段差は、上部背板２１と基部背板２２との連接部のみに形成することもできる。この場合、連接部から下方の基部背板２１の幅は、後述する棚板３０の幅寸法とほぼ同じ幅寸法に設定することができる。
さらに、基部背板２１の下端に、背板貼付片折曲線２４を介して背板貼付片２３が連接されている。この背板貼付片２３は、上述したように、基板１０の底板１２の自由端部に貼り付けられる。
【００３０】
図４に示すように、棚板３０は、上述した基板１０及び背板２０と同様に厚紙などのブランク材から構成されており、上面板３１、正面板３２、棚板背板３３及び棚板貼付片３４から構成されている。棚板３０は、図１に示すように、基板１０の底板１２と背板２０の基部背板２１に貼り付けられた状態で、基板１０の底板１２及び背板２０の基部背板２１の幅寸法よりも幅狭の寸法に形成されている。
また、棚板３０は、商品の載置面となる上面板３１の一端に、正面板折曲線３７を介して正面板３２が連接されており、この正面板３２には、棚板貼付片折曲線３９を介して棚板貼付片３４が連接されている。さらに、上面板３１の他端には、棚板背板折曲線３８を介して棚板背板３３が連接されている。
ここで、図１に示すように、棚板貼付片３４は、基板１０の底板１２の上面に貼り付けられると共に、棚板背板３３は、背板２０の基部背板２１の前面に貼り付けられるが、棚板背板３３の高さ寸法は、正面板３２の高さ寸法に棚板貼付片３４の厚さ寸法を加えた寸法とほぼ同じ寸法に設定されている。
さらに、正面板３２の上端には、起立片３５が一体に形成されており、この起立片３５は、上面板３１の一端側を切り抜くように形成された起立片切抜線３６に沿って形成されており、図１に示すように、ディスプレイ用具として組み立てた際に、上面板３１の上面から上方に突出して、上面板３１の上面に載置した商品４０，４１の前後方向の移動を阻止するように機能する。
【００３１】
次に、図２から図４に示す基板１０、背板２０及び棚板３０を、図１に示すディスプレイ用具に組み立てる順番を、図２から図４と共に、図５及び図６を参照して説明する。
まず、基板１０と背板２０を準備して、背板２０の背板貼付片２３を基板１０の底板１２の自由端部（傾斜板１１とは反対側）に位置合わせして、適宜の貼付剤で貼り付ける。この際、背板貼付片２３は、基部背板２１に対して、背板貼付片折曲線２４に沿って折り曲げた状態で貼り付けてもよいし、または、背板貼付片２３を背板貼付片折曲線２４に沿って折り曲げていない状態で貼り付けてもよい。
次に、基板１０に背板２０を連結した本体部を、基部背板２１を背板貼付片折曲線２４に沿って折り曲げて、背板２０と基板１０を同一平面となるように展開する。この場合、図５の破線で示すように、背板２０の上部背板２２が傾斜板１１の開口部１３の掛止溝１８から引き抜かれている。
【００３２】
続いて、平坦な状態に展開した基板１０と背板２０とを連結した本体部に、棚板３０を貼り付ける手順を説明する。
まず、棚板３０の棚板背板３３の端部を、基部背板２１の折り曲げ部、すなわち、背板貼付片折曲線２４に位置合わせして、棚板背板３３を基部背板２１に貼り付ける。この場合、基部背板２１の幅方向の中央位置に基部背板３３を位置合わせする。
次に、棚板貼付片３４を棚板貼付片折曲線３９に沿って折り曲げた状態で、上面板３１を棚板背板３３に対して棚板背板折曲線３８に沿って折り曲げて、上面板３１と正面板３２を底板１２に重ねるように位置させる。
最後に、棚板貼付片３４を底板１２の上面に貼り付けて、ディスプレイ用具の組立作業が完了する。
【００３３】
以上のように組み立てたディスプレイ用具は、図５に示すように、破線で示す傾斜板１１の掛止溝１８に上部背板２２の先端部を挿入して、上部背板２２を掛止溝１８に沿ってスライドさせて、上部背板２２の掛止突部２５を傾斜板１１の掛止溝１８に掛止させると共に、背板２０の背板掛止凹部２７を傾斜板１１の傾斜板掛止突部１９に掛止させると図１に示すような組立状態となる。また、ディスプレイ用具の組立状態から、背板２０の背板掛止凹部２７と傾斜板掛止突部１９の係合を開口部１３の向きに解除して、背板２０の背板掛止凹部２７を開口部１３の側縁に沿ってスライドさせると、図６に示すように、コンパクトな扁平状に折り畳まれる。
なお、傾斜板１１の掛止溝１８から上部背板２２を引き抜いて、平坦な状態に展開した基板１０と背板２０との本体部に棚板３０を貼り付けた状態で運搬や保管をしてもよい。
【００３４】
次に、本考案の実施の形態に係るディスプレイ用具の使用法について説明する。
本考案の実施の形態に係るディスプレイ用具は、店頭の棚などに平置きした状態で商品を展示する場合には、図１に示すように組み立てて使用し、また、保管や運搬時には、図６に示すように扁平に折り畳むことができるように構成されている。
まず、ディスプレイ用具を利用して商品を展示する場合には、図６に示すように扁平に折り畳まれたディスプレイ用具を準備する。
そして、片方の手で傾斜板１１の基片１４を把持した状態で、他方の手で上部背板２２の背板掛止突部２５の近辺を把持して、上部背板２２を傾斜板１１の開口部１３の側縁に沿ってスライドさせる。この際に、上部背板２２と基部背板２１との間に段差部が形成されているため、傾斜板１１の開口部１３の両側片１６，１６は、基部背板２１の上端部に当接した状態でスライドする。
その後、上部背板２１の裏面が開口部１３の先端片１５に当接するまで、上部背板２２を傾斜板１１の開口部１３の側縁に沿ってスライドさせた後、傾斜板１１の先端片１５と左右の側片１６，１６との間に形成された左右の傾斜板掛止突部１９，１９を、上部背板２２と基部背板２１の連接部に形成された左右の背板掛止凹部２７，２７に、それぞれ掛止すると共に、上部背板２２の左右の掛止突部２５，２５を傾斜板１１の左右の掛止溝１８，１８に掛止する。この場合、各側片１６，１６から開口部１３側に対向するように突出する一対の傾斜板掛止突部１９，１９の間の間隔ａ”が背板掛止凹部２７,２７の底辺を結ぶ幅ａよりも幅狭に設定されているため、上部背板２２は、左右の背板掛止突部２５，２５が掛止溝１８に掛止されると共に、上部背板２２の前面が一対の傾斜板掛止突部１９，１９にも掛止される。
このようにして、図１に示すように、商品を収容できる状態のディスプレイ用具が完成する。
【００３５】
そして、図１に示すように組み立てたディスプレイ用具に、例えば、図７に示すように、商品（パウチ製品）４０を前後方向に整列させて展示する。この場合、商品４０は、扁平状の包装形態であるため、各商品４０の両側が開口部１３の両側に形成した商品保持部１７，１７に保持された状態で展示することができる。
また、図８に示すように、商品（缶製品）４１を前側に、商品（パウチ製品）４０を商品４１の後ろ側に配置して展示することができる。この場合でも、商品４０は、その両側が開口部１３の商品保持部１７，１７に保持された状態で展示される。
なお、図７及び図８に示すように、棚板３０の上面板３１に商品４０を載置する場合には、商品４０は、その前部が起立片３５の裏面に当接されて、安定した状態で展示することができる。
【００３６】
次に、ディスプレイ用具を扁平に折り畳む場合には、図１に示す状態から、傾斜板１１の先端片１５と左右の側片１６，１６との間に形成された左右の傾斜板掛止突部１９，１９と、上部背板２２と基部背板２２の連接部に形成された左右の背板掛止凹部２７，２７による係合を開口部１３の向きに解除して背板２０を開口部１３へ移動させる。その後、片方の手で傾斜板１１の基片１４を把持した状態で、他方の手で上部背板２２の基部、すなわち、背板掛止突部２５の近傍を把持して、上部背板２２を傾斜板１１の開口部１３の側縁に沿ってスライドさせる。
そして、上部背板２２が傾斜板１１の基片１４の上面に当接するまで、上部背板２２を傾斜板１１の開口部１３に沿ってスライドさせると、図６に示すように、ディスプレイ用具を扁平に折り畳んだ状態にすることができる。
以上説明したように、本考案の実施の形態に係るディスプレイ用具は、片方の手で傾斜板１１の基片１４を把持し、また、他方の手で上部背板２２の基部を把持して、上部背板２２を傾斜板１１の開口部１３に沿って移動させるだけで、ディスプレイ用具の組立と折畳をすることができるため、ディスプレイ用具の組立、折畳作業が至極簡単となる。
【００３７】
以上、本考案の実施の形態として、上部背板２２から左右に突出する背板掛止突部２５，２５を備えたディスプレイ用具の形態について説明したが、上述したように、本考案は、上部背板２２に背板掛止突部２５，２５を形成しない形態でも実施することができる。
この場合、図２及び図３に示すように、上部背板２１と基部背板２２との連接部に形成した背板掛止凹部２７，２７の底辺を結ぶ幅ａは、傾斜板１１の開口部１３の幅寸法ａ’よりも幅狭に設定され、かつ、各側片１６，１６から開口部１３側に対向するように突出する一対の傾斜板掛止突部１９，１９の間の間隔ａ”よりも幅広に設定されているため、上部背板２２を左右の掛止溝１８，１８に掛止させると、上部背板２２は、この上部背板２２の前面が一対の傾斜板掛止突部１９，１９に掛止された状態で、左右の掛止溝１８，１８に掛止されることになる。
【符号の説明】
【００３８】
１０  基板
１１  傾斜板
１２  底板
１３  開口部（商品収容部）
１４  基片
１５  先端片
１６  側片
１７  商品保持部
１８  掛止溝
１９  傾斜板掛止突部
２０  背板
２１  基部背板
２２  上部背板
２３  背板貼付片
２４  背板貼付片折曲線
２５  背板掛止突部
２６  傾斜板折曲線
２７  背板掛止凹部
３０  棚板
３１  上面板
３２  正面板
３３  棚板背板
３４  棚板貼付片
３５  起立片
３６  起立片切抜線
３７  正面板折曲線
３８  棚板背板折曲線
３９  棚板貼付片折曲線
４０  商品（パウチ製品）
４１  商品（缶製品）
【図１】
0003166853.tif 000003
【図２】
0003166853.tif 000004
【図３】
0003166853.tif 000005
【図４】
0003166853.tif 000006
【図５】
0003166853.tif 000007
【図６】
0003166853.tif 000008
【図７】
0003166853.tif 000009
【図８】
0003166853.tif 000010